(57)【特許請求の範囲】
【請求項１】
洗濯機と携帯端末を含む洗濯システムであって、
上記洗濯機は、
洗濯物を処理する洗濯部と、
上記携帯端末と通信を行う通信部と、
上記洗濯部の運転条件を設定する運転条件設定部と、
上記洗濯部の運転条件の少なくとも一部を表示するための表示部と、
上記洗濯部の運転条件を入力するためのキー入力部と、
上記運転条件設定部により設定された上記運転条件で上記洗濯部の運転を制御する運転制御部と
を備え、
上記携帯端末は、上記洗濯機の上記運転条件設定部で設定可能な組み合わせからなる運転条件が予め設定された複数のオリジナルコースのうちの１つを１つの操作で選択可能であり、その選択された上記オリジナルコースの運転条件の情報を上記洗濯機の上記通信部に送信し、
上記洗濯機は、上記通信部で受信された上記携帯端末からの上記オリジナルコースの運転条件の情報に基づいて、上記表示部に上記オリジナルコースの運転条件の情報および上記オリジナルコースの運転条件に設定されていることを表示するとともに、上記運転条件設定部により上記洗濯部の運転条件を設定することを特徴とする洗濯システム。
【請求項２】
請求項１に記載の洗濯システムにおいて、
上記洗濯機は、
上記洗濯機は、上記キー入力部の操作によって、上記通信部で受信された上記携帯端末からの上記オリジナルコースの運転条件の情報に基づいて上記表示部に表示される上記オリジナルコースの運転条件の変更が可能であることを特徴とする洗濯システム。
【請求項３】
請求項１または２に記載の洗濯システムにおいて、
上記洗濯機は、
上記通信部で受信した上記オリジナルコースの運転条件の内容を説明する音声を出力する音声出力部を備えたことを特徴とする洗濯システム。
【請求項４】
請求項１から３までのいずれか１つに記載の洗濯システムにおいて、
上記通信部は、通信ネットワークに接続するためのＭＡＣアドレス情報を有し、
上記キー入力部に対して特定の操作をユーザーが行うことによって、上記表示部に上記通信部のＭＡＣアドレスの情報を表示することを特徴とする洗濯システム。
【請求項５】
請求項１から４までのいずれか１つに記載の洗濯システムにおいて、
上記洗濯機は、
エラー情報または上記洗濯部の運転状態の少なくとも一方を、上記携帯端末に上記通信部を介して通知する第１通知部と、
上記エラー情報または上記洗濯部の運転状態の少なくとも一方を、ユーザーに通知する第２通知部と、
上記エラー情報または上記洗濯部の運転状態の少なくとも一方を、上記第２通知部から通知するか否かを設定する通知設定部と
を備えたことを特徴とする洗濯システム。
【発明の詳細な説明】
【技術分野】
【０００１】
この発明は、洗濯システムに関する。
【背景技術】
【０００２】
従来、洗濯システムとしては、洗濯機の洗い、すすぎ、脱水および乾燥の一連の工程の少なくとも１つの工程の内容を変更するための操作部を有する端末装置を備えたものがある(例えば、特開２０１４−５４２７８号公報(特許文献１)参照)。
【先行技術文献】
【特許文献】
【０００３】
【特許文献１】特開２０１４−５４２７８号公報
【発明の概要】
【発明が解決しようとする課題】
【０００４】
ところで、上記洗濯システムでは、端末装置により洗濯機の各工程の運転条件を設定可能で、色々な設定ができることは運転の幅を大きく広げられることを可能にする一方、ユーザーはどのように設定したらいいのかが分からなかったり、設定操作が複雑になったりするため、その機能を十分に活かしきれないという問題がある。
【０００５】
また、多くのユーザーは、上記洗濯システムが備える複数の運転コースから衣類に応じたコースを選択して運転を行うという程度でしか活用できていないため、最適な運転条件の設定ができていない可能性もある。
【０００６】
そこで、この発明の課題は、携帯端末に対する簡単な操作で、洗濯機側において設定可能な組み合わせからなる最適な運転条件を設定できる洗濯システムを提供することにある。
【課題を解決するための手段】
【０００７】
上記課題を解決するため、この発明の洗濯システムは、
洗濯機と携帯端末を含む洗濯システムであって、
上記洗濯機は、
洗濯物を処理する洗濯部と、
上記携帯端末と通信を行う通信部と、
上記洗濯部の運転条件を設定する運転条件設定部と、
上記洗濯部の運転条件の少なくとも一部を表示するための表示部と、
上記洗濯部の運転条件を入力するためのキー入力部と、
上記運転条件設定部により設定された上記運転条件で上記洗濯部の運転を制御する運転制御部と
を備え、
上記携帯端末は、上記洗濯機の上記運転条件設定部で設定可能な組み合わせからなる運転条件が予め設定された複数のオリジナルコースのうちの１つを１つの操作で選択可能であり、その選択された上記オリジナルコースの運転条件の情報を上記洗濯機の上記通信部に送信し、
上記洗濯機は、上記通信部で受信された上記携帯端末からの上記オリジナルコースの運転条件の情報に基づいて、上記表示部に上記オリジナルコースの運転条件の情報および上記オリジナルコースの運転条件に設定されていることを表示するとともに、上記運転条件設定部により上記洗濯部の運転条件を設定することを特徴とする。
【０００８】
また、一実施形態の洗濯システムでは、
上記洗濯機は、
上記通信部で受信した上記オリジナルコースの運転条件を記憶する不揮発性記憶部を備えた。
【０００９】
また、一実施形態の洗濯システムでは、
上記洗濯機は、
上記通信部で受信した上記オリジナルコースの運転条件の内容を説明する音声を出力する音声出力部を備えた。
【００１０】
また、一実施形態の洗濯システムでは、
上記通信部は、通信ネットワークに接続するためのＭＡＣアドレス情報を有し、
上記キー入力部に対して特定の操作をユーザーが行うことによって、上記表示部に上記通信部のＭＡＣアドレスの情報を表示する。
【００１１】
また、一実施形態の洗濯システムでは、
上記洗濯機は、
エラー情報または上記洗濯部の運転状態の少なくとも一方を、上記携帯端末に上記通信部を介して通知する第１通知部と、
上記エラー情報または上記洗濯部の運転状態の少なくとも一方を、ユーザーに通知する第２通知部と、
上記エラー情報または上記洗濯部の運転状態の少なくとも一方を、上記第２通知部から通知するか否かを設定する通知設定部と
を備えた。
【００１２】
また、この発明の洗濯機は、
洗濯部と、
上記洗濯部の運転を制御する運転制御部と、
通信ネットワークを介して他の機器と通信を行う通信部と、
上記洗濯部の運転条件の少なくとも一部を表示するための表示部と、
上記洗濯部の運転条件を入力するためのキー入力部と
を備え、
上記通信部は、上記通信ネットワークに接続するためのＭＡＣアドレス情報を有し、
上記キー入力部に対して特定の操作をユーザーが行うことによって、上記表示部に上記通信部のＭＡＣアドレスの情報を表示することを特徴とする。
【００１３】
また、この発明の洗濯機は、
洗濯部と、
上記洗濯部の運転を制御する運転制御部と、
携帯端末と通信を行う通信部と、
エラー情報または上記洗濯部の運転状態の少なくとも一方を、上記携帯端末に上記通信部を介して通知する第１通知部と、
上記エラー情報または上記洗濯部の運転状態の少なくとも一方を、ユーザーに通知する第２通知部と、
上記エラー情報または上記洗濯部の運転状態の少なくとも一方を、上記第２通知部から通知するか否かを設定する通知設定部と
を備えたことを特徴とする。
【発明の効果】
【００１４】
以上より明らかなように、この発明によれば、携帯端末に対する簡単な操作で、洗濯機側において設定可能な組み合わせからなる最適な運転条件を設定できる洗濯システムを実現することができる。
【図面の簡単な説明】
【００１５】
【図１】図１はこの発明の第１実施形態の洗濯システムの概略構成図である。
【図２】図２は上記ドラム式洗濯乾燥機を前側の斜め上方から見た概略斜視図である。
【図３】図３は上記ドラム式洗濯乾燥機を上方から見た模式図である。
【図４】図４は上記ドラム式洗濯乾燥機の操作表示部を示す図である。
【図５】図５はスマートフォンの表示部を示す図である。
【図６】図６はこの発明の第２実施形態の洗濯システムの概略構成図である。
【図７】図７はこの発明の第３実施形態の洗濯システムのドラム式洗濯乾燥機のＭＡＣアドレス表示機能について説明するための図である。
【発明を実施するための形態】
【００１６】
以下、この発明の洗濯システムを図示の実施の形態により詳細に説明する。
【００１７】
〔第１実施形態〕
図１はこの発明の第１実施形態の洗濯システムの概略構成図を示している。
【００１８】
上記洗濯システムは、図１に示すように、ドラム式洗濯乾燥機１００と、無線アクセスポイント２００と、ドラム式洗濯乾燥機１００と通信する携帯端末の一例としてのスマートフォン４００(smartphone：多機能携帯電話)とを備える。
【００１９】
上記ドラム式洗濯乾燥機１００は、制御装置１０と、オプションの通信アダプタ２０と、音声信号切換部３０と、音声出力部の一例としてのスピーカ４０と、キー入力部の一例としての操作部５０ａと表示部５０ｂを有する操作表示部５０と、洗濯物を処理する洗濯部の一例としての洗濯乾燥部６０とを備える。ここで、上記洗濯乾燥部６０は、水槽２(図２に示す)と、図示しないが、周知の洗濯兼脱水槽(ドラム)、モータ、給水弁、排水弁、ヒートポンプユニット等を有する。この洗濯乾燥部６０による洗濯物を処理するための運転としては、洗濯運転、脱水運転、乾燥運転などのように、洗濯物の汚れや臭いを除去したり、洗濯物を乾かしたりするための運転などがある。
【００２０】
上記制御装置１０は、第１制御部１１と、第１制御部１１により制御される第１音声信号出力部１２と、プログラムや音声データなどを記憶するメモリ１３とを有する。このメモリ１３は、記憶した情報を書き換え可能な不揮発性記憶部であり、ドラム式洗濯乾燥機１００の電源を切っても、記憶した情報が消えない。
【００２１】
上記制御装置１０は、通信アダプタ２０と、音声信号切換部３０と、操作表示部５０と、洗濯乾燥部６０などを制御する。
【００２２】
また、上記制御装置１０の第１制御部１１は、マイクロコンピュータと入出力回路などからなり、洗濯乾燥部６０の運転条件を設定する運転条件設定部１１ａと、洗濯乾燥部６０の運転を制御する運転制御部１１ｂとを備える。
【００２３】
また、上記通信アダプタ２０は、第２制御部２１と、第２制御部２１により制御される第２音声信号出力部２２と、無線アクセスポイント２００と通信を行う通信部２３と、プログラムや音声データなどを記憶するメモリ２４とを有する。このメモリ２４は、記憶した情報を書き換え可能な不揮発性のメモリであり、ドラム式洗濯乾燥機１００の電源を切っても、記憶した情報が消えない。
【００２４】
上記制御装置１０の第１制御部１１と通信アダプタ２０の第２制御部２１とは、互いに通信を行う。
【００２５】
上記通信アダプタ２０は、無線アクセスポイント２００に無線で通信接続され、無線アクセスポイント２００を介してスマートフォン４００と通信を行う。より詳しくは、通信アダプタ２０は、例えばＷｉ−Ｆｉ(ワイファイ：登録商標)の通信規格を用い、無線アクセスポイント２００を介して、スマートフォン４００に情報を送信したり、スマートフォン４００から情報を受信したりする。
【００２６】
なお、無線アクセスポイント２００なしにＢｌｕｅｔｏｏｔｈ(ブルーツゥース：登録商標)を用いて通信アダプタ２０とスマートフォン４００を通信接続してもよい。
【００２７】
また、音声信号切換部３０は、第１制御部１１によって制御され、第１音声信号出力部１２からの第１音声信号または第２音声信号出力部２２からの第２音声信号を択一的に切り換えてスピーカ４０に出力する。
【００２８】
上記スピーカ４０は、例えば、洗濯物を処理するための運転が開始するとき、予め定められたメロディ音やメッセージを出力する。
【００２９】
上記操作表示部５０は、洗濯物を処理するための運転の予約時刻を表示したり、洗濯物を処理する運転中に運転残り時間を表示したりする数字表示部５２３(図４に示す)を有している。
【００３０】
図２は上記ドラム式洗濯乾燥機を前側の斜め上方から見た概略斜視図を示している。図２において、７０は電磁弁である。
【００３１】
上記ドラム式洗濯乾燥機は、外郭を成す外箱１を備える。この外箱１は、上面パネル１０１と、操作表示部５０と、前面パネル１０３と、後面パネル１０４と、右側面パネル１０５Ａと、左側面パネル１０５Ｂ(図３に示す)と、底台１０６とで構成されている。
【００３２】
また、上記外箱１は、前側に開口部１ａを有している。より詳しくは、開口部１ａは、前面パネル１０３に設けられ、洗濯物(図示せず)が通過する。この前面パネル１０３にはドア３が回動可能に取り付けられており、開口部１ａはドア３で開閉される。
【００３３】
上記操作表示部５０は、開口部１ａ上に位置するように前面パネル１０３に取り付けられている。
【００３４】
また、上記操作表示部５０の側方には、洗濯剤を収容可能な洗濯剤ケース１５０が設けられている。ここで、上記洗濯剤とは、洗濯物を洗ったり、すすいだりするときに、水槽２に供給する水に溶け込ます粉末剤または液剤である。上記洗濯剤の具体例としては、洗剤、漂白剤、柔軟剤などがある。
【００３５】
上記オプションの通信アダプタ２０は、外箱１の上部を形成する上面パネル１０１と、水槽２との間に配置されている。より詳しくは、通信アダプタ２０は、上面パネル１０１と水槽２との間の後側に位置するように、支持部材９０によって支持されている。
【００３６】
また、図３は上記ドラム式洗濯乾燥機を上方から見た模式図を示している。図３において、図２と同一の構成部には同一参照番号を付している。なお、図３では、上面パネル１０１、水槽２などの図示を省略している。
【００３７】
図３に示すように、通信アダプタ２０は、上面視において左側かつ後面側に位置する。
【００３８】
図４は上記ドラム式洗濯乾燥機１００の操作表示部５０を示している。図４において、５０１はふろ水キー、５０２は予約キー、５０３は洗いキー、５０４はすすぎキー、５０５は脱水キー、５０６は乾燥キー、５０７は脱水度合キー、５０８は乾燥度合キー、５０９は洗濯キー、５１０は洗〜乾キー、５１１は乾燥キー、５１２はリフレッシュキー、５１３はロック解除キー、５１４は電源入キー、５１５は電源切キー、５１６はスタート・一時停止キーである。これらキーは、タクトスイッチ(機械式スイッチ)である。
【００３９】
なお、洗いキー５０３,すすぎキー５０４,脱水キー５０５,乾燥キー５０６は、洗い工程,すすぎ工程,脱水工程,乾燥工程の時間などを設定する工程キーである(すすぎ工程は回数)。
【００４０】
また、洗濯キー５０９,洗〜乾キー５１０,乾燥キー５１１は、運転コースを設定するコースキーである。
【００４１】
ふろ水キー５０１は、ふろ水を使うか否かを選択するものである。詳しくは、ふろ水キー５０１を押す度に、ふろ水を使う工程が、「洗い工程」、「洗い工程とすすぎ工程」、「なし」に切り替わる。ここで、選択されたふろ水を使う工程に応じて、ふろ水キー５０１の上側の洗いすすぎ表示部５２１の[洗い]と[すすぎ]が点灯／消灯する。
【００４２】
また、予約キー５０２は、運転終了時刻を予約するものである。詳しくは、数字表示部５２３に表示される運転終了時刻(予約時刻)を、工程キー(５０３〜５０６)を用いて予約を行う。
【００４３】
予約キー５０２の上側に、予約運転待機中に点灯する時計図形の予約表示部５２０を配置している。
【００４４】
さらに、予約表示部５２０の上側に、数字表示部５２３に表示された数字の意味を説明する説明表示部５２２を配置している。この説明表示部５２２は、数字表示部５２３の表示に応じて、[予約(時刻)]、[残り(時:分)]、[洗剤(杯)]のいずれか１つが点灯するか、または、全部が消灯する。
【００４５】
また、洗いキー５０３,すすぎキー５０４,脱水キー５０５,乾燥キー５０６は、コースの運転内容(洗い工程,すすぎ工程,脱水工程,乾燥工程)を変更したり確認したりするものである。この洗いキー５０３,すすぎキー５０４,脱水キー５０５,乾燥キー５０６によって、各工程を個別に設定したり、ユーザーが希望する運転コース(わが家流)を設定したりすることも可能である。
【００４６】
また、脱水度合キー５０７は、低振動、標準、スムーズの３つから脱水工程の度合いを選択するものである。ここで、選択された脱水工程の度合いに応じて、脱水度合キー５０７の上側の度合表示部５２９の[低振動]と[標準]と[スムーズ]のうちのいずか１つが点灯する。
【００４７】
また、乾燥度合キー５０８は、念入り、標準、控えめの３つから乾燥工程の度合いを選択するものである。ここで、選択された乾燥工程の度合いに応じて、乾燥度合キー５０８の上側の度合表示部５２９の[念入り]と[標準]と[控えめ]のうちのいずか１つが点灯する。
【００４８】
また、洗濯キー５０９は、標準、念入り、柔らか、ドライ、毛布、槽洗浄の６つから洗濯コース(運転内容は洗い工程,すすぎ工程,脱水工程)を選択するものである。ここで、洗濯コースのいずれかが選択されると、洗濯キー５０９近傍かつ上側部分が点灯すると共に、選択された洗濯コースに応じて、洗濯キー５０９の上側のコース表示部５３０の[標準]と[念入り]と[柔らか]と[ドライ] と[毛布]と[槽洗浄]のうちのいずか１つが点灯する。
【００４９】
また、洗〜乾キー５１０は、標準、念入り、柔らか、室内干し、毛布、槽洗浄の６つから洗〜乾コース(運転内容は洗い工程,すすぎ工程,脱水工程,乾燥工程)を選択するものである。ここで、洗〜乾コースのいずれかが選択されると、洗〜乾キー５１０近傍かつ上側部分が点灯すると共に、選択された洗〜乾コースに応じて、洗〜乾キー５１０の上側のコース表示部５３０の[標準]と[念入り]と[柔らか]と[室内干し]と[毛布]と[槽洗浄]のうちのいずか１つが点灯する。
【００５０】
また、乾燥キー５１１は、標準、柔らか、ドライ、毛布、槽洗浄の５つから乾燥コースを選択するものである。ここで、乾燥コースのいずれかが選択されると、乾燥キー５１１近傍かつ上側部分が点灯すると共に、選択された乾燥コースに応じて、乾燥キー５１１の上側のコース表示部５３０の[標準]と[柔らか]と[ドライ]と[毛布]と[槽洗浄]のうちのいずか１つが点灯する。
【００５１】
また、リフレッシュキー５１２は、静止、回転の２つからリフレッシュコースを選択するものである。ここで、リフレッシュコースのいずれかが選択されると、リフレッシュキー５１２近傍かつ上側部分が点灯すると共に、選択されたリフレッシュコースに応じて、リフレッシュキー５１２の上側のコース表示部５３０の[静止]と[回転]のうちのいずか１つが点灯する。ここで、リフレッシュコースの静止を選択すると、洗濯兼脱水槽(図示せず)を静止させた状態でイオン発生ユニット(図示せず)からイオンを洗濯兼脱水槽内に供給する一方、リフレッシュコースの回転を選択すると、洗濯兼脱水槽を回転させながらイオン発生ユニット(図示せず)からイオンを洗濯兼脱水槽内に供給する。
【００５２】
また、ロック解除キー５１３は、運転中のドア３の開閉を禁止するドアロックを解除するためのものである。ここで、ドアロック中は、ロック解除キー５１３の上側のドアロック表示部５３３の[ドアロック]が点灯する。
【００５３】
図４において、５１８は音声メッセージを聞くときに操作する聞いてキー、５２４はシワ防止表示部、５２５は注水表示部(注水すすぎ：点灯／ためすすぎ：消灯)、５２６は工程表示部([洗い(分)],[すすぎ(回)],[脱水(分)],[乾燥(分)])、５２７は乾燥時間表示部([自動],[90],[60],[30])、５２８はＷｉ−Ｆｉによる通信可能状態であることを表示するＷｉ−Ｆｉ表示部、５３１はわが家流表示部、５３２はオリジナル表示部である。また、操作表示部５０の各表示部は、ＬＥＤ(Light Emitting Diode：発光ダイオード)などが裏側に配置されている。
【００５４】
上記ドラム式洗濯乾燥機１００において、電源入キー５１４を押すと、ドラム式洗濯乾燥機が電源オン状態になる。なお、電源オン状態で電源切キー５１５を押すと、ドラム式洗濯乾燥機の電源が遮断される。
【００５５】
次に、例えば洗濯キー５０９の操作により洗濯コースが選択された状態で、スタート・一時停止キー５１６を押すと、選ばれた洗濯コースの運転内容で洗濯を行う。
【００５６】
図５はスマートフォン４００の表示部４０１を示している。
【００５７】
スマートフォン４００は、図５に示すように、表示部４０１と、その表示部４０１の下側に設けられたホームキー４０２とを有する。このスマートフォン４００にオリジナルコース設定用のアプリをダウンロードして起動すると、複数のオリジナルコースのリストから所望のオリジナルコースをドラム式洗濯乾燥機１００に設定するためのオリジナルコース設定の画面が表示される。
【００５８】
上記表示部４０１の上側に「オリジナルコース設定」の文字が表示され、その下側に４つの選択キー(どろんこ４１１,Ｙシャツ４１２,カーテン４１３,タオル４１４)が表示されている。
【００５９】
例えば、図５のとおり、４つの選択キーのうちのタオル４１４(黒地に白色文字)が選択されると、オリジナルコース(タオル)の運転条件がスマートフォン４００からドラム式洗濯乾燥機１００に送信される。この第１実施形態では、スマートフォン４００とドラム式洗濯乾燥機１００との間を無線アクセスポイント２００を介してＷｉ−Ｆｉにより通信接続されている。
【００６０】
そして、ドラム式洗濯乾燥機１００の通信アダプタ２０で受信されたオリジナルコース(タオル)の運転条件に基づいて、図４に示す操作表示部５０のとおり、
洗〜乾コース：やわらか
洗い：１５分
すすぎ注水：２回
脱水自動
乾燥自動
脱水度合：スムーズ
乾燥度合：念入り
という条件に設定される。
【００６１】
ここで、オリジナル表示部５３２が点灯することにより、ダウンロードされたオリジナルコースの運転条件に設定されていることをユーザーが認識できる。
【００６２】
このとき、聞いてキー５１８が点滅し、ユーザーが聞いてキー５１８を操作すると、オリジナルコースの内容を説明する音声メッセージをスピーカ４０から出力する。これによって、どのようなオリジナルコースが設定されているかがユーザーにわかりやすい。
【００６３】
この第１実施形態では、設定されたオリジナルコースの運転条件に基づいて、音声メッセージを音声合成してもよいし、スマートフォン４００からオリジナルコースの運転条件の情報と共に、スマートフォン４００から音声メッセージのデータがドラム式洗濯乾燥機１００の通信アダプタ２０に送信されるようにしてもよい。
【００６４】
なお、ダウンロードされたオリジナルコースの運転条件が設定されたときに、上記オリジナルコースの内容を説明する音声メッセージをスピーカ４０から出力するようにしてもよい。
【００６５】
上記構成の洗濯システムによれば、ドラム式洗濯乾燥機１００の運転条件設定部１１ａは、ユーザーによる操作表示部５０の操作に基づいて運転条件を設定する。例えば、ドラム式洗濯乾燥機１００に予め登録された複数の運転コースから選んでもよいし、各工程を個別に設定してもよい。
【００６６】
あるいは、スマートフォン４００において、ドラム式洗濯乾燥機１００の運転条件設定部１１ａによって設定可能な組み合わせからなる運転条件が予め設定された複数のオリジナルコースのうちのいずれか１つを１つの操作で選択する。その選択された上記オリジナルコースの運転条件の情報は、スマートフォン４００からドラム式洗濯乾燥機１００の通信部２３に送信される。そして、ドラム式洗濯乾燥機１００の通信部２３によりスマートフォン４００からの上記オリジナルコースの運転条件の情報を受信すると、そのオリジナルコースの運転条件の情報に基づいて、ドラム式洗濯乾燥機１００の運転条件設定部１１ａにより運転条件を設定する。これにより、スマートフォン４００に対する簡単な操作で、ドラム式洗濯乾燥機１００側において設定可能な組み合わせからなる最適な運転条件を設定できる。
【００６７】
このオリジナルコースの運転条件は、ドラム式洗濯乾燥機１００においてユーザーが操作表示部５０を複数回操作して設定することが可能な組み合わせからなり、ドラム式洗濯乾燥機１００に予め登録された複数の運転コースとは異なる運転条件である。これにより、予め登録されている運転コースの登録数に制限のあるドラム式洗濯乾燥機１００に対して、登録された運転コースとは異なる複数の運転コースを選択することが可能になる。ドラム式洗濯乾燥機１００に設定されたオリジナルコースの運転条件は、ドラム式洗濯乾燥機１００の操作表示部５０の複数のキー操作により設定が可能なものであり、ユーザーが所望する運転条件を一括で設定したものである。また、ドラム式洗濯乾燥機１００に設定されたオリジナルコースの運転条件は、ユーザーのキー操作に基づいて変更が可能であるので、利便性が向上する。
【００６８】
また、上記ドラム式洗濯乾燥機１００の通信部２３で受信された上記オリジナルコースの運転条件をメモリ１３(不揮発性記憶部)に記憶するので、ドラム式洗濯乾燥機１００の電源が切れても、上記オリジナルコースの運転条件を保持して次にドラム式洗濯乾燥機１００の電源を入れたときに利用でき、再びスマートフォン４００から設定する必要がなく、利便性が向上する。
【００６９】
また、上記ドラム式洗濯乾燥機１００の通信部２３で受信した上記オリジナルコースの運転条件の内容を説明する音声をスピーカ４０(音声出力部)から出力する。これにより、ユーザーがスマートフォン４００から設定したオリジナルコースの内容を容易に確認することができる。
【００７０】
また、上記洗濯システムでは、スマートフォン４００のオリジナルコース設定用のアプリを更新することにより、新たなオリジナルコースをリストに追加することが簡単にできる。
【００７１】
〔第２実施形態〕
図６はこの発明の第２実施形態の洗濯システムの概略構成図を示している。この第２実施形態の洗濯システムは、管理サーバ３００と通信を除いて第１実施形態の洗濯システムと同一の構成をしており、図１〜図５を援用する。
【００７２】
上記洗濯システムは、図６に示すように、屋内に設置されたドラム式洗濯乾燥機１００と、無線アクセスポイント２００と、ドラム式洗濯乾燥機１００と通信する屋外の管理サーバ３００と、この管理サーバ３００と通信する携帯端末の一例としてのスマートフォン４００とを備える。
【００７３】
上記ドラム式洗濯乾燥機１００の通信アダプタ２０は、無線アクセスポイント２００に無線で通信接続され、無線アクセスポイント２００とインターネット網Ｎを介して管理サーバ３００と通信を行う。より詳しくは、通信アダプタ２０は、無線アクセスポイント２００とインターネット網Ｎを介して、管理サーバ３００に情報を送信したり、管理サーバ３００から情報を受信したりする。また、管理サーバ３００と無線アクセスポイント２００との間の通信は、電気通信網や光通信網を用いたインターネット網Ｎを介して行われる。
【００７４】
上記管理サーバ３００は、ドラム式洗濯乾燥機１００からの情報を受信して保存したり、スマートフォン４００からの情報を受信して保存したりする。
【００７５】
上記スマートフォン４００は、管理サーバ３００に情報を送信したり、管理サーバ３００から情報を受信したりする。より詳しくは、スマートフォン４００は、携帯通信網およびインターネット網Ｎを介して管理サーバ３００との通信を行う。
【００７６】
例えば、洗濯物を処理するための運転が行われているか否かを示す運転情報が、ドラム式洗濯乾燥機１００からの情報として管理サーバ３００に保存されている場合、スマートフォン４００は、管理サーバ３００に通信接続することにより、管理サーバ３００から運転情報を取得して、この運転情報をユーザーに伝えることができるようになっている。
【００７７】
一方、例えば、洗濯物の処理に関する設定情報(オリジナルコースの運転条件など)が、スマートフォン４００からの情報として管理サーバ３００に保存されている場合、ドラム式洗濯乾燥機１００は、管理サーバ３００に通信接続して、管理サーバ３００から上記設定情報を取得して、この設定情報に従った処理を洗濯物に行うことができるようになっている。また、図示しないが、管理サーバ３００と無線アクセスポイント２００との間には、ブロードバンドルータが設置されている。
【００７８】
また、上記制御装置１０の第１制御部１１は、洗濯乾燥部６０の運転条件を設定する運転条件設定部１１ａと、洗濯乾燥部６０の運転を制御する運転制御部１１ｂと、スマートフォン４００に通信部２３を介して通知する第１通知部１１ｃと、操作表示部５０とスピーカ４０によりエラー情報をユーザーに通知する第２通知部１１ｄと、エラー情報を第２通知部１１ｄから通知するか否かを設定する通知設定部１１ｅとを備える。
【００７９】
また、第１通知部１１ｃ,第２通知部１１ｄは、エラー情報ではなく、洗濯乾燥部６０(洗濯部)の運転状態をユーザーに通知してもよく、エラー情報および洗濯乾燥部６０の運転状態の両方をユーザーに通知してもよい。
【００８０】
上記構成の洗濯システムによれば、スマートフォン４００で選択されたオリジナルコースの運転条件の情報は、スマートフォン４００から管理サーバ３００を介してドラム式洗濯乾燥機１００の通信部２３に送信される。
【００８１】
上記第２実施形態の洗濯システムは、第１実施形態の洗濯システムと同様の効果を有する。
【００８２】
また、上記ドラム式洗濯乾燥機１００の第１通知部１１ｃは、エラー情報や洗濯乾燥部６０(洗濯部)の運転状態をスマートフォン４００に通信部２３を介して通知する。このとき、ユーザーによる操作表示部５０のキー操作に基づいて、通知設定部１１ｅにより第２通知部１１ｄから通知する設定としている場合、エラー情報や洗濯乾燥部６０の運転状態を、数字表示部５２３(図４に示す)に“Ｅ○○”(○は数字)などのコードで表示する。例えば、エラー情報としては、「給水できない」、「ドアが開いている」、「糸くずフィルタが詰まっている」「脱水できない」、「モータが回らない」などがある。また、洗濯乾燥部６０の運転状態としては、「乾燥フィルタが目詰まりしている」、「洗濯物の量が多い」などがある。
【００８３】
一方、ユーザーによる操作表示部５０のキー操作に基づいて、通知設定部１１ｅにより第２通知部１１ｄから通知しない設定としている場合、エラー情報または洗濯乾燥部６０(洗濯部)の運転状態をユーザーに通知しない。これにより、スマートフォン４００への通知で十分なユーザーに対して、ドラム式洗濯乾燥機１００側から煩わしい通知をせず済ませることができる。
【００８４】
なお、上記第２実施形態の洗濯システムでは、ドラム式洗濯乾燥機１００の通知設定部１１ｅにより運転状態をスマートフォン４００に通知をするか否かを設定したが、スマートフォン４００によって、ドラム式洗濯乾燥機１００の運転状態をスマートフォン４００に通知をするか否かを設定するようにしてもよい。このように、スマートフォン４００からの設定により、夜間などの通知が煩わしい場合にユーザーが就寝時にドラム式洗濯乾燥機１００からの通知を止めるという対応が可能になる。
【００８５】
また、ユーザーに通知する内容に応じて、ドラム式洗濯乾燥機１００で通知するか否かとスマートフォン４００に通知するか否かを自動的に設定するようしてもよい。例えば、ドアエラー(「ドアが開いている」)のようにユーザーが対応可能なものについては、ドラム式洗濯乾燥機１００で通知すると共にスマートフォン４００に通知し、ユーザーが対応できないモータエラー(「モータが回らない」)などの故障についは、スマートフォン４００だけに通知するようにしてもよい。
【００８６】
なお、上記第２実施形態では、エラー情報や洗濯乾燥部６０(洗濯部)の運転状態を通知したが、エラー情報や洗濯部の運転状態の通知に限らず、洗濯部の運転終了や運転結果などの通知でもよい。
【００８７】
また、７セグメント表示の数字表示部５２３に１６進コードによりエラー情報や洗濯乾燥部６０(洗濯部)の運転状態を表示したが、液晶ディスプレイなどにより文字や絵で表示してもよい。
【００８８】
〔第３実施形態〕
図７はこの発明の第３実施形態の洗濯システムのドラム式洗濯乾燥機１００のＭＡＣアドレス表示機能について説明するための図を示している。この第３実施形態の洗濯システムは、ドラム式洗濯乾燥機１００のＭＡＣアドレス表示機能を除いて第１実施形態の洗濯システムと同一の構成をしており、図１〜図５を援用する。
【００８９】
この第３実施形態の洗濯システムは、図１に示すドラム式洗濯乾燥機１００にオプションとして取り付けられた通信アダプタ２０のメモリ２４に、通信ネットワークに接続するためのＭＡＣアドレスの情報が記憶されている。
【００９０】
上記ドラム式洗濯乾燥機１００の電源入キー５１４(図４に示す)を押して電源オン状態にすると、前回の運転条件を保持したまま運転内容の設定が可能な設定状態となる。この設定状態から操作表示部５０に対して特定のキーを操作すると、制御装置１０の第１制御部１１から通信アダプタ２０の第２制御部２１に対してＭＡＣアドレス要求信号が出力される。このＭＡＣアドレス要求信号を受けた通信アダプタ２０の第２制御部２１は、メモリ２４に記憶されたＭＡＣアドレスの情報を、制御装置１０の第１制御部１１に送信する。この通信アダプタ２０からのＭＡＣアドレスの情報を受けて、制御装置１０は、数字表示部５２３(図４に示す)に１２桁のＭＡＣアドレスのうちの上位４桁を表示する。
【００９１】
例えば、ロック解除キー５１３(図４に示す)を押しながらリフレッシュキー５１２(図４に示す)を押すと、図７の左側に示すように、“１２３４”(１６進数)が表示される。このときの工程表示部５２６は[洗い]が点灯している。
【００９２】
この上位４桁の表示状態からすすぎキー５０４(図４に示す)を押すと、１２桁のＭＡＣアドレスのうちの中位４桁が表示される。例えば、図７の中央に示すように、“５６ＡＢ”(１６進数)が数字表示部５２３に表示される。このときの工程表示部５２６は[すすぎ]が点灯している。なお、数字表示部５２３では、“Ｂ”を“ｂ”と表示している。
【００９３】
この中位４桁の表示状態から脱水キー５０５(図４に示す)を押すと、１２桁のＭＡＣアドレスのうちの下位４桁が表示される。例えば、図７の右側に示すように、“ＣＤＥＦ”(１６進数)が数字表示部５２３に表示される。このときの工程表示部５２６は[脱水]が点灯している。なお、数字表示部５２３では、Ｄ”を“ｄ”と表示している。
【００９４】
これにより、１２桁のＭＡＣアドレス“１２３４５６ＡＢＣＤＥＦ”(１６進数)をユーザーに通知する。
【００９５】
次に、この下位４桁の表示状態から洗いキー５０３(図４に示す)を押すと、図７の左側に示す上位４桁の表示となる。
【００９６】
なお、上位４桁の表示状態から脱水キー５０５を押すと、１２桁のＭＡＣアドレスのうちの下位４桁の表示となり、さらに、下位４桁の表示状態からすすぎキー５０４を押すと、１２桁のＭＡＣアドレスのうちの中位４桁の表示となり、中位４桁の表示状態から洗いキー５０３を押すと、上位４桁の表示となる。
【００９７】
また、図７に示す上位４桁の表示状態、中位４桁の表示状態、下位４桁の表示状態の夫々においてリフレッシュキー５１２を押すと、元の設定状態に戻る。
【００９８】
上記構成のドラム式洗濯乾燥機１００によれば、操作表示部５０(キー入力部)に対して特定の操作をユーザーが行うと、通信部２３のＭＡＣアドレスの情報を表示するＭＡＣアドレス表示機能によって、ドラム式洗濯乾燥機１００本体にＭＡＣアドレスが記載されたシールなどを貼ることなく、ユーザーがＭＡＣアドレスを確認することができる。
【００９９】
また、故障などにより通信アダプタ２０を交換しても、特別な作業をすることなく、上記ＭＡＣアドレス表示機能により交換後の新しいＭＡＣアドレスをユーザーが確認することが可能になる。
【０１００】
さらに、ドラム式洗濯乾燥機１００の生産時に、上記ＭＡＣアドレス表示機能により通信アダプタ２０のＭＡＣアドレスを確認して、本体にＭＡＣアドレスを明示する作業(シール貼りなど)を省略でき、作業工程を簡略化できる。
【０１０１】
なお、上記第３実施形態では、７セグメント表示の数字表示部５２３に１６進コードによりＭＡＣアドレスを表示したが、液晶ディスプレイなどにより表示してもよい。
【０１０２】
従来、通信機能を有する家電機器において、ＭＡＣアドレスをシールなどにより機器の側面に貼り付けたりしているが、機器の側面のシールなどの位置によってはユーザーが壁や家具に妨げられてＭＡＣアドレスを確認できない場合があり、洗濯機では、水や洗剤がシールにかかっても変色・劣化しない特殊な加工が必要となる。また、取扱説明書などの書面にＭＡＣアドレスを記載したとしても、ユーザーが確認し易いとは言えない。さらに、オプションの通信アダプタを後付けする場合、予め家電機器に記載することができないため、同様の問題がある。
【０１０３】
このような問題に対して、上記第３実施形態のドラム式洗濯乾燥機１００では、ＭＡＣアドレス表示機能によって、ユーザーがＭＡＣアドレスを確認でき、水や洗剤で変色・劣化するシールなどを用いないで済む。
【０１０４】
上記第１〜第３実施形態では、携帯端末の一例としてのスマートフォン４００を備えた洗濯システムについて説明したが、携帯端末はこれに限らず、ＰＤＡ(Personal Digital Assistant：パーソナル・デジタル・アシスタント)やモバイルＰＣ(パーソナルコンピュータ)等であってもよい。
【０１０５】
この発明の具体的な実施の形態について説明したが、この発明は上記第１〜第３実施形態に限定されるものではなく、この発明の範囲内で種々変更して実施することができる。例えば、上記第１〜第３実施形態で記載した内容を適宜組み合わせたものを、この発明の一実施形態としてもよい。
【０１０６】
この発明および実施形態をまとめると、次のようになる。
【０１０７】
この発明の洗濯システムは、
洗濯機１００と携帯端末４００を含む洗濯システムであって、
上記洗濯機１００は、
洗濯物を処理する洗濯部６０と、
上記携帯端末４００と通信を行う通信部２３と、
上記洗濯部６０の運転条件を設定する運転条件設定部１１ａと、
上記運転条件設定部１１ａにより設定された上記運転条件で上記洗濯部６０の運転を制御する運転制御部１１ｂと
を備え、
上記携帯端末４００は、上記洗濯機１００の上記運転条件設定部１１ａで設定可能な組み合わせからなる運転条件が予め設定された複数のオリジナルコースのうちの１つを１つの操作で選択可能であり、その選択された上記オリジナルコースの運転条件の情報を上記洗濯機１００の上記通信部２３に送信し、
上記洗濯機１００は、上記通信部２３で受信された上記携帯端末４００からの上記オリジナルコースの運転条件の情報に基づいて、上記運転条件設定部１１ａにより上記洗濯部６０の運転条件を設定することを特徴とする。
【０１０８】
上記構成によれば、携帯端末４００において、洗濯機１００の運転条件設定部１１ａで設定可能な組み合わせからなる運転条件が予め設定された複数のオリジナルコースから１つの操作で１つのオリジナルコースが選択されると、その選択された上記オリジナルコースの運転条件の情報が洗濯機１００の通信部２３に送信される。そして、洗濯機１００の通信部２３により携帯端末４００からの上記オリジナルコースの運転条件の情報を受信すると、そのオリジナルコースの運転条件の情報に基づいて、洗濯機１００の運転条件設定部１１ａにより洗濯部６０の運転条件を設定する。これにより、携帯端末４００に対する簡単な操作で、洗濯機１００側において運転条件設定部１１ａで設定可能な組み合わせからなる最適な運転条件を設定できる。この設定された運転条件は、洗濯機１００の運転条件設定部１１ａにより変更が可能であるので、利便性が向上する。
【０１０９】
また、一実施形態の洗濯システムでは、
上記洗濯機１００は、
上記通信部２３で受信した上記オリジナルコースの運転条件を記憶する不揮発性記憶部１３を備えた。
【０１１０】
上記実施形態によれば、洗濯機１００の通信部２３で受信された上記オリジナルコースの運転条件を不揮発性記憶部１３に記憶するので、洗濯機１００の電源が切れても、上記オリジナルコースの運転条件を保持して次に洗濯機１００の電源を入れたときに利用でき、再び携帯端末４００から設定する必要がなく、利便性が向上する。
【０１１１】
また、一実施形態の洗濯システムでは、
上記洗濯機１００は、
上記通信部２３で受信した上記オリジナルコースの運転条件の内容を説明する音声を出力する音声出力部４０を備えた。
【０１１２】
上記実施形態によれば、洗濯機１００の通信部２３で受信した上記オリジナルコースの運転条件の内容を説明する音声を音声出力部４０から出力するので、ユーザーが携帯端末４００から設定したオリジナルコースの内容を容易に確認できる。
【０１１３】
また、一実施形態の洗濯システムでは、
上記洗濯機１００は、
上記洗濯部６０の運転条件の少なくとも一部を表示するための表示部５０ｂと、
上記洗濯部６０の運転条件を入力するためのキー入力部５０ａと
を備え、
上記通信部２３は、通信ネットワークに接続するためのＭＡＣアドレス情報を有し、
上記キー入力部５０ａに対して特定の操作をユーザーが行うことによって、上記表示部５０ｂに上記通信部２３のＭＡＣアドレスの情報を表示する。
【０１１４】
上記実施形態によれば、洗濯部６０のキー入力部５０ａに対して特定の操作をユーザーが行うと、通信部２３のＭＡＣアドレスの情報を表示するので、洗濯機１００本体にＭＡＣアドレスが記載されたシールなどを貼ることなく、ユーザーがＭＡＣアドレスを確認できる。
【０１１５】
また、一実施形態の洗濯システムでは、
上記洗濯機１００は、
エラー情報または上記洗濯部６０の運転状態の少なくとも一方を、上記携帯端末４００に上記通信部２３を介して通知する第１通知部１１ｃと、
上記エラー情報または上記洗濯部６０の運転状態の少なくとも一方を、ユーザーに通知する第２通知部１１ｄと、
上記エラー情報または上記洗濯部６０の運転状態の少なくとも一方を、上記第２通知部１１ｄから通知するか否かを設定する通知設定部１１ｅと
を備えた。
【０１１６】
上記実施形態によれば、洗濯機１００の第１通知部１１ｃは、エラー情報(または洗濯部６０の運転状態)を携帯端末４００に通信部２３を介して通知する。このとき、上記通知設定部１１ｅにより第２通知部１１ｄから通知しない設定としている場合、第２通知部１１ｄは、エラー情報(または洗濯部６０の運転状態)をユーザーに通知しない。これにより、携帯端末４００への通知で十分なユーザーに対して、洗濯機１００側から煩わしい通知をせず済ませることができる。
【０１１７】
また、この発明の洗濯機１００は、
洗濯部６０と、
上記洗濯部６０の運転を制御する運転制御部１１ｂと、
通信ネットワークを介して他の機器と通信を行う通信部と、
上記洗濯部６０の運転条件の少なくとも一部を表示するための表示部５０ｂと、
上記洗濯部６０の運転条件を入力するためのキー入力部５０ａと
を備え、
上記通信部２３は、上記通信ネットワークに接続するためのＭＡＣアドレス情報を有し、
上記キー入力部５０ａに対して特定の操作をユーザーが行うことによって、上記表示部５０ｂに上記通信部２３のＭＡＣアドレスの情報を表示することを特徴とする。
【０１１８】
上記構成によれば、洗濯部６０のキー入力部５０ａに対して特定の操作をユーザーが行うと、通信部２３のＭＡＣアドレスの情報を表示部５０ｂに表示するので、洗濯機１００本体にＭＡＣアドレスが記載されたシールなどを貼ることなく、ユーザーがＭＡＣアドレスを確認できる。
【０１１９】
また、この発明の洗濯機１００は、
洗濯部６０と、
上記洗濯部６０の運転を制御する運転制御部１１ｂと、
携帯端末４００と通信を行う通信部２３と、
エラー情報または上記洗濯部６０の運転状態の少なくとも一方を、上記携帯端末４００に上記通信部２３を介して通知する第１通知部１１ｃと、
上記エラー情報または上記洗濯部６０の運転状態の少なくとも一方を、ユーザーに通知する第２通知部１１ｄと、
上記エラー情報または上記洗濯部６０の運転状態の少なくとも一方を、上記第２通知部１１ｄから通知するか否かを設定する通知設定部１１ｅと
を備えた。
【０１２０】
上記構成によれば、第１通知部１１ｃは、エラー情報(または洗濯部６０の運転状態)を携帯端末４００に通信部２３を介して通知する。このとき、上記通知設定部１１ｅにより第２通知部１１ｄから通知しない設定としている場合、第２通知部１１ｄは、エラー情報(または洗濯部６０の運転状態)をユーザーに通知しない。これにより、携帯端末４００への通知で十分なユーザーに対して、洗濯機１００側から煩わしい通知をせず済ませることができる。
【符号の説明】
【０１２１】
１…外箱
１ａ…開口部
２…水槽
３…ドア
１０…制御装置
１１…第１制御部
１１ａ…運転条件設定部
１１ｂ…運転制御部
１１ｃ…第１通知部
１１ｄ…第２通知部
１１ｅ…通知設定部
１２…第１音声信号出力部
１３…メモリ
２０…通信アダプタ
２１…第２制御部
２２…第２音声信号出力部
２３…通信部
２４…メモリ
３０…音声信号切換部
４０…スピーカ(音声出力部)
５０…操作表示部(キー入力部)
５０ａ…操作部
５０ｂ…表示部
６０…洗濯乾燥部(洗濯部)
７０…電磁弁
９０…支持部材
１００…ドラム式洗濯乾燥機
１０１…上面パネル
１０３…前面パネル
１０４…後面パネル
１０５Ａ…右側面パネル
１０５Ｂ…左側面パネル
１０６…底台
１５０…洗濯剤ケース
２００…無線アクセスポイント
３００…管理サーバ
４００…スマートフォン
４０１…表示部
４０２…ホームキー
Ｎ…インターネット網
【図１】
0006557013.tif 000002
【図２】
0006557013.tif 000003
【図３】
0006557013.tif 000004
【図４】
0006557013.tif 000005
【図５】
0006557013.tif 000006
【図６】
0006557013.tif 000007
【図７】
0006557013.tif 000008